(57)【要約】【課題】複数の写真等を大きな自由度をもって任意のパターンで連結して飾ることが出来ると共に、連結時の相互の位置決め精度や連結強度も十分に確保することが出来る、新規な構造の額縁を提供することを、目的とする。【解決手段】嵌合用凸部２４が設けられた辺部３２ａ，３４ａと、嵌合用凹部３６が設けられた辺部３２ｂ，３４ｂを、外形が全体として矩形板形状とされた額縁１０において互いに直交する二つの対向方向で対向させると共に、嵌合用凸部２４と嵌合用凹部３６を、それぞれ、一つの辺部３２ａ，３２ｂ，３４ａ，３４ｂにおいて互いに同じ間隔で辺長方向に三つ以上設けた。また、嵌合用凸部２４を先端側が基端側よりも辺長方向で幅広とした。【選択図】図１
2010259641.tif 000002
【特許請求の範囲】
【請求項１】
全体として矩形板状とされており、その外周の四つの辺部のうち隣り合う二つの辺部にはそれぞれ外周面から突出する嵌合用凸部が辺長方向で等間隔に三つ以上設けられており、各該嵌合用凸部の先端側が基端側よりも辺長方向に幅広とされている一方、他の二つの辺部の裏面にはそれぞれ該嵌合用凸部に対応した形状で外周端から内方に広がる嵌合用凹部が該嵌合用凸部と同じ間隔で辺長方向に三つ以上設けられていることを特徴とする額縁。
【請求項２】
矩形枠体形状とされた表側枠体の裏面に矩形平板形状の裏板が重ね合わされて固着されており、該裏板の外周の隣り合う二つの辺部には該表側枠体から外方に突出して前記嵌合用凸部が形成されていると共に、該裏板の他の二つの辺部には外周縁から切り込まれた切欠部が複数形成されており、それら各切欠部における該裏板の一方の面側が該表側枠体で覆われることによって前記嵌合用凹部が形成されている請求項１に記載の額縁。
【請求項３】
前記裏板が合板で形成されている請求項２に記載の額縁。
【請求項４】
前記嵌合用凹部に嵌合可能な連結凸部と前記嵌合用凸部が嵌合可能な連結凹部の少なくとも一方を備えており、該嵌合用凹部又は該嵌合用凸部に対して取り外し可能に取り付けられる支持部材が設けられている請求項１乃至３の何れか一項に記載の額縁。
【発明の詳細な説明】
【技術分野】
【０００１】
本発明は、相互に連結可能な額縁に関するものである。
【背景技術】
【０００２】
従来から、写真や絵画，色紙，絵葉書等を飾るために、写真立てや壁掛け，柱掛け等（以下、額縁と総称する）が使用されている。
【０００３】
ところで、写真等は、多くを同時に飾りたい場合もある。また、装飾の目的で、写真等の多数枚を適当なパターンで組み合わせて壁等に飾りたい場合もある。
【０００４】
しかしながら、従来の額縁は、基本的に１枚の写真等を飾ることが前提となっている。例えば長方形板状の額縁を見開きの屏風状に連結する他、実用新案登録第３０２６１１７号公報（特許文献１）に記載されているように八角形の額縁を連結することで、複数枚の写真等を同時に飾るようにしたものもあるが、それらでも僅か２〜３枚の写真等を飾ることが出来るに過ぎない。
【０００５】
しかも、そのように複数の額縁を連結した場合でも、連結自由度が小さいために、好みのパターンで複数の写真を組み合わせて飾ることが難しく、連結部分や連結位置の変更も困難である。なお、磁石やマジックテープ（登録商標）を利用して複数の額縁を連結することで、連結部分や連結位置の変更を速やかに行えるようにすることも考えられるが、多数の連結になると、十分な連結強度を得難く実用的ではない。
【先行技術文献】
【特許文献】
【０００６】
【特許文献１】実用新案登録第３０２６１１７号公報
【発明の概要】
【発明が解決しようとする課題】
【０００７】
本発明の解決課題とするところは、複数の写真等を大きな自由度をもって任意のパターンで連結して飾ることが出来ると共に、連結時の相互の位置決め精度や連結強度も十分に確保することが出来る、新規な構造の額縁を提供することにある。
【課題を解決するための手段】
【０００８】
以下、本発明の態様を記載するが、以下に記載の各構成は、可能な限り任意の組み合わせで採用可能である。
【０００９】
本発明の特徴とするところは、全体として矩形板状とされており、その外周の四つの辺部のうち隣り合う二つの辺部にはそれぞれ外周面から突出する嵌合用凸部が辺長方向で等間隔に三つ以上設けられており、各該嵌合用凸部の先端側が基端側よりも辺長方向に幅広とされている一方、他の二つの辺部の裏面にはそれぞれ該嵌合用凸部に対応した形状で外周端から内方に広がる嵌合用凹部が該嵌合用凸部と同じ間隔で辺長方向に三つ以上設けられている額縁にある。
【００１０】
本発明の額縁においては、嵌合用凸部が設けられた辺部と嵌合用凹部が設けられた辺部が二つの対向辺部にそれぞれ形成されている。これにより、例えば長方形板状とした場合に、長辺方向と短辺方向の何れの方向にも、嵌合用凸部と嵌合用凹部の嵌合作用を利用して、他の額縁を連結することが可能となる。その結果、連結パターンの設定自由度が大きく確保される。
【００１１】
また、嵌合用突部と嵌合用凹部が、何れも、一つの辺部において互いに同じ間隔で辺長方向に三つ以上設けられていることから、一方の額縁に対して他方の額縁を辺長方向にずらせて連結することが出来る。また、長方形板状とすることにより、二つの額縁における長辺部同士又は短辺部同士を沿わせて連結する他、一方の額縁の長辺部と他方の額縁の短辺部とを沿わせて連結することも出来、一層大きな連結自由度が実現され得る。
【００１２】
さらに、先端側が幅広とされた特定形状の嵌合用凸部を対応形状の嵌合用凹部に対して額縁裏面側から嵌め込む額縁相互間の連結構造を採用したことにより、額縁相互のガタツキを防止して複数の額縁を強固に連結することが出来る。その結果、相互に連結された複数の額縁を、額縁の平面上におけるあらゆる方向で強固に相互位置決めすることが出来ると共に、相互位置決め精度を高度に確保することも可能となる。
【００１３】
また、本発明においては、矩形枠体形状とされた表側枠体の裏面に矩形平板形状の裏板が重ね合わされて固着されており、該裏板の外周の隣り合う二つの辺部には該表側枠体から外方に突出して前記嵌合用凸部が形成されていると共に、該裏板の他の二つの辺部には外周縁から切り込まれた切欠部が複数形成されており、それら各切欠部における該裏板の一方の面側が該表側枠体で覆われることによって前記嵌合用凹部が形成されていることが望ましい。
【００１４】
これにより、嵌合用凸部と嵌合用凹部を容易に形成することが出来る。しかも、表側枠体を変更することなく額縁デザインを共通化しつつ裏板だけを交換することにより、要求される額縁間の連結強度や精度，態様等に応じて嵌合用突部と嵌合用凹部の数や形状等を適宜に変更することも可能となる。また反対に、裏板を共用して表側枠体だけを変更することにより、額縁デザインを簡易に低コストで変更したり、複数種類の額縁デザインを取り揃えたりすることも可能となる。
【００１５】
なお、これら表側枠体及び裏板の材質は限定されるものでなく、合成樹脂や発泡樹脂、木、金属等の材料で製造されたものを採用できるが、本発明では、特に裏板を合板で形成することが望ましい。
【００１６】
合板は、複数の単板を重ね合わせて接着したものであって、複数の単板の繊維方向が交差している。それ故、合板は、任意の形状への切断加工が容易であると共に、厚さ寸法精度が良く、撓みも抑えられて形状や寸法の精度が維持され、嵌合用凸部と嵌合用凹部による嵌合連結強度の安定化が図られ得る。特に、嵌合用凸部と嵌合用凹部の嵌合に際して、合板には適度の弾性的変形が許容されることで嵌め込み易い。しかも、嵌合用凸部と嵌合用凹部の嵌合面となる合板切断面では、繊維方向が複数方向に露出していることから、これら複数方向の繊維の相互での引っ掛かり等による係止作用や摩擦作用に基づいて、非常に優れた嵌合状態が実現され得る。
【００１７】
さらに、本発明においては、前記嵌合用凹部に嵌合可能な連結凸部と前記嵌合用凸部が嵌合可能な連結凹部の少なくとも一方を備えており、該嵌合用凹部又は該嵌合用凸部に対して取り外し可能に取り付けられる支持部材を、組み合わせて採用することができる。これにより、連結された複数の額縁を支持部材を介して壁等に位置固定に安定して飾ることが可能となる。
【発明の効果】
【００１８】
本発明では、嵌め合わされる嵌合用凸部と嵌合用凹部の組み合わせを変更することで、複数の額縁を大きな自由度をもって適当に組み合わせて連結することが出来る。また、嵌合用凸部と嵌合用凸部を特別な対応形状としたことにより、複数の額縁相互間での連結強度と位置決め精度が高度に発揮され得る。
【図面の簡単な説明】
【００１９】
【図１】本発明の一実施形態としての額縁を示す正面図。
【図２】図１に示された額縁の側面図。
【図３】図１の額縁を構成する表側枠体の裏面図。
【図４】図１の額縁を構成する裏板の正面図。
【図５】額縁の連結パターンの一態様を示す正面図。
【図６】図５に示された複数の額縁の背面図。
【図７】図６におけるＶＩＩ−ＶＩＩ断面図。
【図８】額縁の連結パターンの他の態様を示す正面図。
【発明を実施するための形態】
【００２０】
以下、本発明を更に具体的に明らかにするために、本発明の実施形態について、図面を参照しつつ、詳細に説明する。
【００２１】
図１及び図２には、本発明の一実施形態としての額縁１０が示されている。この額縁１０は、中央に形成された開口窓１２を通じて、写真等を見えるように飾るものである。なお、以下の説明では、原則として、図１中の上下方向を縦方向といい、図１中の左右方向を横方向という。
【００２２】
より詳細には、額縁１０は、表側枠体１４の裏面に裏板１６が重ね合わせ状態で固着された構造とされており、全体として厚肉で正面視長方形の板状を呈している。
【００２３】
表側枠体１４は、中央に長方形の開口窓１２が形成された木製の長方形枠体である。この表側枠体１４の裏面には、図３に示されているように、開口窓１２の外周縁に沿って所定幅で周方向に延びる浅底の段差凹部１８が形成されている。また、この段差凹部１８は、開口窓１２の一つの短辺部において、表側枠体１４の外周縁にまで延長されている。
【００２４】
裏板１６は、図４に示されているように、合板をカッティングして形成された長方形状の平板であって、その外周形状は表側枠体１４の外周形状に対応している。裏板１６の外周は、縦方向で対向する一対の長辺部２０ａ，２０ｂと、横方向で対向する一対の短辺部２２ａ，２２ｂによって形成されている。隣り合う長辺部２０ａと短辺部２２ａには、それぞれ、嵌合用凸部２４が設けられている。
【００２５】
嵌合用凸部２４は、裏板１６の外周面に垂直な方向へ突出して形成されており、基端側から先端側へ行くに従って次第に幅寸法が大きくなる逆向きの台形形状を呈している。即ち、嵌合用凸部２４の側面２６，２６は、それぞれ、裏板１６の外周面に垂直な方向に対して交差する方向へ延びる傾斜面とされており、これら側面２６，２６のそれぞれによって、後述する嵌合用凹部３６への係合面が構成されている。
【００２６】
このような嵌合用凸部２４は、長辺部２０ａにおいて、辺長方向に等間隔に六つ設けられていると共に、短辺部２２ａにおいて、辺長方向に等間隔に四つ設けられている。長辺部２０ａと短辺部２２ａでは、隣り合う二つの嵌合用凸部２４，２４の間隔は同じとされている。全ての嵌合用凸部２４は、形状と大きさが同じとされている。
【００２７】
また、他の長辺部２０ｂと短辺部２２ｂには、それぞれ、切欠部２８が設けられている。切欠部２８は、嵌合用凸部２４に対応した逆向きの台形断面でもって、裏板１６の外周縁部を切り欠くように形成されている。即ち、各切欠部２８は外周縁から内方へ行くに従って次第に幅広とされており、その側面３０，３０が裏板１６の外周面に垂直な方向に対して交差する方向へ延びている。
【００２８】
このような切欠部２８は、長辺部２０ｂにおいて、辺長方向に等間隔に六つ設けられていると共に、短辺部２２ｂにおいて、辺長方向に等間隔に四つ設けられている。長辺部２０ｂと短辺部２２ｂでは、隣り合う二つの切欠部２８，２８の間隔が、長辺部２０ａや短辺部２２ａにおいて隣り合う二つの嵌合用凸部２４，２４の間隔と同じとされている。全ての切欠部２８は、嵌合用凸部２４と同様に、形状と大きさが同じとされている。
【００２９】
このような裏板１６は、表側枠体１４の裏面に重ね合わされて接着剤で固定される。これにより、表側枠体１４の中央の開口窓１２が裏板１６によって裏側から覆蓋された構造の額縁１０が形成される。
【００３０】
なお、裏板１６と表側枠体１４の固着方法は、接着剤による接着に限定されない。従来から公知の各種の固着方法、例えば、ネジ止め等を採用することが出来る。
【００３１】
額縁１０の横方向一方の側面には、段差凹部１８が開口している。この段差凹部１８に沿って写真を入れることが出来る。額縁１０に入れられた写真は、表側枠体１４の開口窓１２を通じて外部から見れる。額縁１０に入れる写真は、抜き差しすることによって変更出来る。
【００３２】
表側枠体１４の外周面と裏板１６の外周面は、額縁１０の表裏方向で滑らかに接続されている。これにより、額縁１０を正面から見ると、嵌合用凸部２４は表側枠体１４から外方に突出している。即ち、嵌合用凸部２４は、額縁１０において隣り合う長辺部３２ａと短辺部３４ａのそれぞれに設けられている。
【００３３】
また、切欠部２８は、裏板１６における表側枠体１４への重ね合わせ面側の開口が表側枠体１４で覆われている。これにより、額縁１０の裏面と外周面の両方に開口する嵌合用凹部３６が形成される。即ち、嵌合用凹部３６は、額縁１０において隣り合う長辺部３２ｂと短辺部３４ｂのそれぞれに設けられている。全ての切欠部２８の形状と大きさが同じとされていることにより、全ての嵌合用凹部３６も、形状と大きさが同じとされている。
【００３４】
上述の如き額縁１０は、嵌合用凸部２４の嵌合用凹部３６への嵌合作用を利用することにより、他の額縁１０と連結することが出来る。額縁１０の連結パターンとしては、色々考えられるが、その一例を図５及び図６に示す。図５及び図６に示す連結パターンでは、表裏を同じ方向にした状態で、額縁１０ａの短辺部３４ａに設けられた嵌合用凸部２４の全てが、額縁１０ｂの短辺部３４ｂに設けられた嵌合用凹部３６に対して、額縁１０ｂの裏面側から嵌め込まれている。これにより、二つの額縁１０ａ，１０ｂが表裏を同じ方向にした状態で横方向に真っ直ぐ並んで連結されている。額縁１０ａにおける段差凹部１８の開口は、連結された額縁１０ｂで覆い隠されている。
【００３５】
また、表裏を同じ方向にした状態で、額縁１０ｃの長辺部３２ａに設けられた嵌合用凸部２４が、一方の額縁１０ａの長辺部３２ｂに設けられた嵌合用凹部３６と他方の額縁１０ｂの長辺部３２ｂに設けられた嵌合用凹部３６のそれぞれに対して、三つずつ嵌め込まれている。これにより、額縁１０ｃが二つの額縁１０ａ，１０ｂのそれぞれに対して表裏を同じ方向にして横方向にずれた状態で縦方向に連結されている。
【００３６】
嵌合用凸部２４が嵌合用凹部３６に嵌め込まれて、嵌合用凸部２４の側面２６，２６が嵌合用凹部３６の側面３０，３０に当接した状態では、嵌合用凸部２４が設けられた辺部３２ａ，３４ａの外周面と嵌合用凹部３６が設けられた辺部３２ｂ，３４ｂの外周面が当接している。
【００３７】
また、嵌合用凹部３６に嵌め込まれた嵌合用凸部２４は、図７に示されているように、表側枠体１４の裏面に当接している。この状態で、連結された額縁１０ａ，１０ｂ，１０ｃの裏面同士が同じ高さに位置して滑らかに接続されている。
【００３８】
なお、連結された額縁１０ａ，１０ｂ，１０ｃは、連結時の手順とは逆の手順で分離することが出来る。
【００３９】
さらに、額縁１０には、支持部材３８が取り付けられている。支持部材３８は、合板で形成された板状部材であって、三角形状を呈している。支持部材３８の一つの辺部４０には、外周面から突出する連結凸部４２が辺長方向に二つ形成されている。各連結凸部４２は、嵌合用凸部２４と同じ大きさであって且つ同じ形状とされている。また、これら二つの連結凸部４２，３８の離隔距離は、額縁１０における隣り合う二つの嵌合用凸部２４，２４の間隔と同じである。
【００４０】
このような支持部材３８は、両方の連結凸部４２，３８が額縁１０ｃの長辺部３２ｂに設けられた嵌合用凹部３６，３６に嵌め込まれることにより、額縁１０の外周縁部に装着される。そして、相互に連結された三つの額縁１０ａ，１０ｂ，１０ｃは、支持部材３８に形成された挿通孔４４に釘やピン等が挿通されることにより、壁に引っ掛けられて飾られる。
【００４１】
各額縁１０ａ，１０ｂ，１０ｃの段差凹部１８の開口は、壁に飾られた状態で、下方に開口していないほうが良い。これにより、額縁１０ａ，１０ｂ，１０ｃに入れられた写真が落ちてしまわないようにすることが出来る。必要に応じて段差凹部１８の開口を覆蓋する蓋を設けても良い。
【００４２】
支持部材３８は、連結凸部４２の代わりに、嵌合用凸部２４が嵌め込まれる連結凹部を設けた構造であっても良い。また、他の辺部に連結凹部を設けた構造であっても良い。額縁１０ｃに装着された支持部材３８は、連結時の手順とは逆の手順により、額縁１０ｃから分離することが出来る。
【００４３】
上述の如き額縁１０においては、六つの嵌合用凸部２４が等間隔に設けられた長辺部３２ａと、これら嵌合用凸部２４と同じ間隔で六つの嵌合用凹部３６が設けられた長辺部３２ｂとが、縦方向で対向位置している。これにより、他の額縁１０を縦方向に真っ直ぐ連結するだけでなく、横方向にずらした状態でも縦方向に連結することが出来る。
【００４４】
また、四つの嵌合用凸部２４が等間隔に設けられた短辺部３４ａと、これら嵌合用凸部２４と同じ間隔で四つの嵌合用凹部３６が設けられた短辺部３４ｂとが、横方向で対向位置している。これにより、他の額縁１０を横方向に真っ直ぐ連結するだけでなく、縦方向にずらした状態でも横方向に連結することが出来る。
【００４５】
加えて、隣り合う二つの嵌合用凸部２４，２４の間隔が、各辺部３２ａ，３４ａにおいて同じとされていると共に、隣り合う二つの嵌合用凹部３６，３６の間隔が、各辺部３２ｂ，３４ｂにおいて同じとされている。これにより、短辺部３４ａに設けられた嵌合用凸部２４を長辺部３２ｂに設けられた嵌合用凹部３６に嵌め込んだり、或いは、長辺部３２ａに設けられた嵌合用凸部２４を短辺部３４ｂに設けられた嵌合用凹部３６に嵌め込んだりすることが可能となる。その結果、図８に示されているように、長辺部３２ａ，３２ｂと短辺部３４ｂ，３４ａを当接させた状態でも、額縁１０，１０同士を連結することが出来る。
【００４６】
従って、額縁１０においては、他の額縁１０との連結自由度を大きく確保することが可能となる。その結果、任意の連結パターンで複数の額縁１０を連結することが出来る。
【００４７】
また、各辺部３２ａ，３２ｂ，３４ａ，３４ｂにおいて、隣り合う二つの嵌合用凸部２４，２４の間隔と隣り合う二つの嵌合用凹部３６，３６の間隔が同じとされている。これにより、嵌合用凸部２４が嵌め込まれる嵌合用凹部３６や嵌合用凹部３６に嵌め込まれる嵌合用凸部２４を変更するだけで、一方の額縁１０に対する他方の額縁１０の連結位置を変更することが出来る。その結果、他の額縁１０との連結パターンを容易に変更することが可能となる。
【００４８】
さらに、嵌合用凸部２４が嵌合用凹部３６に嵌り込んだ状態では、嵌合用凸部２４が設けられた辺部３２ａ，３４ａの外周面と嵌合用凹部３６が設けられた辺部３２ｂ，３４ｂの外周面が当接している。これにより、連結された額縁１０，１０が相互に離隔する方向へ変位したり、辺長方向に相対変位することが防止されている。その結果、一方の額縁１０を他方の額縁１０に対して強固に連結することが可能となり、複数の額縁１０の連結時における位置決め精度を向上させることが可能となる。
【００４９】
更にまた、合板で形成された裏板１６に対して、嵌合用凸部２４と切欠部２８が形成されている。これにより、嵌合用凸部２４の嵌合用凹部３６の嵌合強度を大きく確保することが出来る。
【００５０】
以上、本発明の一実施形態について詳述してきたが、これはあくまでも例示であって、本発明は、かかる実施形態における具体的な記載によって、何等、限定的に解釈されるものではない。
【００５１】
例えば、図８に示されているように、連結された複数の額縁１０のうちの幾つかに対して、支持部材３８を装着しても良い。これにより、支持部材３８による複数の額縁１０の支持状態を安定させることが出来る。支持部材３８は、額縁１０の裏側から連結凸部４２，４２が嵌合用凹部３６，３６に嵌め込まれることで、額縁１０の外周縁部に装着される。支持部材３８は、連結された複数の額縁１０のうち出来るだけ離れた位置にある額縁１０に装着されることが望ましい。これにより、複数の支持部材３８による支持状態をより一層安定させることが出来る。なお、図８に示された実施形態では、食事メニュー表等を表示するための額縁５０と、表側枠体に代えて彫刻等が施された装飾板が採用された装飾プレートとしての額縁５２が、それぞれ、額縁１０と大きさ及び形状の異なる態様で形成されて、連結されている。これら大きさや形状の異なる額縁５０，５２の外周縁部にも、額縁１０と同じ形状と大きさ，ピッチ等をもって、嵌合用凸部２４と嵌合用凹部３６がそれぞれ複数形成されていることにより、相互連結可能となっている。
【００５２】
なお、額縁の外形は長方形に限定されない。正方形であっても良い。また、図８に示されているように、連結される額縁は同じ大きさや同じ形状である必要はない。
【００５３】
嵌合用凸部の形状は、前記実施形態に記載の逆向き台形形状に限定されない。例えば、突出端において辺長方向一方に突出する鉤状や、突出端において辺長方向両側へ突出するＴ字状，前記実施形態に記載された嵌合用凸部２４の側面２６，２６の一方が額縁１０（裏板１６）の外周面に垂直な方向に延びる形状，前記実施形態に記載の嵌合用凸部２４の突出端面が突出方向に凸となる円弧状湾曲面とされた滴形状等であっても良い。
【００５４】
図５及び図６に示す、レンガを積むような連結パターンを採用して壁一面に額縁を飾る場合には、壁の縁に位置する額縁として、嵌合用凸部が設けられていない額縁を採用するようにしても良い。これにより、見栄えを良くすることが出来ると共に、連結した複数の額縁を壁の縁に沿って飾ることが出来る。
【００５５】
嵌合用凸部を嵌合用凹部に嵌め込んで連結した後、必要に応じて接着剤で固定しても良い。これにより、額縁の連結強度の更なる向上を図ることが出来る。
【００５６】
前記実施形態では、嵌合用凸部２４の全体が嵌合用凹部３６に嵌め込まれていたが、例えば、嵌合用凸部や嵌合用凹部の形状や大きさ等を適当に設定して、嵌合用凸部の先端部分だけが嵌合用凹部に嵌め込まれるようにしても良い。これにより、額縁を相互に離隔させた状態で連結することが出来る。
【００５７】
前記実施形態において、嵌合用凸部２４の突出先端面は嵌合用凹部３６の内面に当接している必要はない。嵌合用凸部２４の側面２６，２６の何れか一方だけが嵌合用凹部３６の側面３０，３０に当接していても良い。嵌合用凸部２４の基端部が嵌合用凹部３６における額縁１０の外周面側の開口縁部で挟圧されていれば、嵌合用凸部２４の突出先端面や側面２６，２６は、嵌合用凹部３６の内面に当接している必要はない。
【００５８】
前記実施形態において、表側枠体１４の代わりに、彫刻等による木材加工品，、タイルや貝殻等を表面に固着した装飾加工品等を採用しても良い。
【符号の説明】
【００５９】
１０，５０，５２：額縁，１４：表側枠体，１６：裏板，２０ａ：長辺部，２０ｂ：長辺部，２２ａ：短辺部，２２ｂ：短辺部，２４：嵌合用凸部，２８：切欠部，３２ａ：長辺部，３２ｂ：長辺部，３４ａ：短辺部，３４ｂ：短辺部，３６：嵌合用凹部，３８：支持部材，４２：連結凸部
【図１】
2010259641.tif 000003
【図２】
2010259641.tif 000004
【図３】
2010259641.tif 000005
【図４】
2010259641.tif 000006
【図５】
2010259641.tif 000007
【図６】
2010259641.tif 000008
【図７】
2010259641.tif 000009
【図８】
2010259641.tif 000010